(57)【要約】【課題】バリアプレスボードとダクトピースの接触部近傍の絶縁油の局所的な直流電界集中を低減して耐圧を向上させることにより絶縁寸法を縮小し、小形で信頼性の高い変換器用変圧器を実現させること。【解決手段】絶縁油１５が充填されたタンク１１内に、交流巻線１２および直流巻線１３を収納し、交流巻線１２および直流巻線１３との間に絶縁油１５と１個または複数個のバリアプレスボード１６からなる巻線間絶縁部１８を構成し、バリアプレスボード間にダクトピース２３を配置してなる変換器用変圧器において、ダクトピース２３は、バリアプレスボード１６の内周面または外周面に接触する接触部２３１のエッジ部２３２を当該バリアプレスボード１６の周方向の両側に突出する突出接触部２３３として形成した。【選択図】図１
2013131691.tif 000002
【特許請求の範囲】
【請求項１】
絶縁油が充填されたタンク内に、同心円状に交流巻線および直流巻線を収納し、前記交流巻線および前記直流巻線間に絶縁油と１個または複数個のバリアプレスボードからなる巻線間絶縁部を構成し、前記交流巻線およびバリアプレスボード間、前記直流巻線およびバリアプレスボード間、および隣接するバリアプレスボード間にダクトピースを配置してなる変換器用変圧器において、
前記ダクトピースは、前記バリアプレスボードの内周面または外周面に接触する接触部のエッジ部を当該バリアプレスボードの周方向の両側に突出させることにより突出接触部として形成したことを特徴とする変換器用変圧器。
【請求項２】
前記ダクトピースに形成された突出接触部は、三角形の鋭角部であることを特徴とする請求項１記載の変換器用変圧器。
【請求項３】
前記ダクトピースに形成された突出接触部は、前記バリアプレスボードの内周面または外周面を基準として１０°以上９０°未満であることを特徴とする請求項２記載の変換器用変圧器。
【請求項４】
前記ダクトピースに形成された突出接触部の断面形状は、１段以上の階段形状であることを特徴とする請求項１記載の変換器用変圧器。
【請求項５】
ダクトピースの体積抵抗率をバリアプレスボードよりも小さい絶縁物としたことを特徴とする請求項１〜４記載の変換器用変圧器。
【発明の詳細な説明】
【技術分野】
【０００１】
本発明は、直流送電に使用される変換器用変圧器に係り、特に直流電圧が加わる部位の絶縁構成を改良した変換器用変圧器に関する。
【背景技術】
【０００２】
近年、大容量、長距離送電および異周波連係など、系統運用上多くのメリットを有する直流送電が多方面で使用され、国内の一部地域において交流系統を連携する±２５０ｋＶ直流送電が実施されており、更に外国では±８００ｋＶの直流送電が実施されようとしている。
【０００３】
この様な直流送電においては、交流を直流に、あるいは直流を交流に変換するための交直変換所が設置される。この交直変換所は図４に示す様に、交流線路１から入力した交流電圧を変換用変圧器２ａおよび２ｂ、サイリスタバルブ群３ａおよび３ｂを通して直流電圧に変換し、直流リアクトル４を介して直流線路５に送電する様に構成される。
【０００４】
この場合、サイリスタバルブ群３ａおよび３ｂを形成するサイリスタバルブ６ａおよび６ｂは３三相ブリッジ接続されて交流電圧を直流電圧に、或いは直流電圧を交流電圧に変換する主要素である。この様なサイリスタバルブ６ａおよび６ｂとしては現在のところ運用実績、保守点検の面から、空気絶縁方式のものが多く使用されている。そして、この空気絶縁方式のサイリスタバルブは、通常、バルブホール７と呼ばれる建屋内に収納される。
【０００５】
なお、図中８ａおよび８ｂは変圧器用避雷器であり、９は直流リアクトル用避雷器である。そして、１０はサイリスタバルブ群３ａおよび３ｂのアノード・カソード間避雷器である。
【０００６】
ところで、上記の変換器用変圧器の絶縁方式としては、運転実績の豊富な油絶縁方式が主流である。変換用変圧器の運転時には、サイリスタバルブ６ａおよび６ｂに接続する側の変圧器巻線に変圧された交流電圧以外に直流電圧が印加されるため、交流電圧だけでなく直流電圧に対する絶縁設計が必要である。
【０００７】
すなわち、変換器用変圧器２ａおよび２ｂに用いられる油絶縁方式は、絶縁油と固体絶縁物であるプレスボード等の紙材の複合絶縁構成になっており、この複合絶縁構成に直流電圧が印加されると、絶縁油に比べて体積抵抗率の大きい紙材に大きな直流電界が加わり、一方、体積抵抗率の小さな絶縁油にはあまり直流電界が加わらないこととなる。従って、油絶縁方式の変換器用変圧器においては、プレスボードと絶縁油に適用な電界がそれぞれ加わる様に、絶縁油やプレスボードの配置が工夫されている。
【０００８】
図５は、この様なプレスボードの配置に工夫を施した変換器用変圧器の絶縁構成の一例を示すもので、変圧器巻線部の垂直方向の断面図を示している。
変換器用変圧器は、一点鎖線枠で示すタンク１１内に同心円状に収納された交流巻線１２および直流巻線１３を備えている。このうち、交流巻線１２は交流線路に結合され、直流巻線１３はサイリスタバルブに結合される。交流巻線１２および直流巻線１３の各端部には、電界緩和用に周囲を絶縁物で被覆した静電シールド１４ａおよび１４ｂがそれぞれ取り付けられている。この変換器用変圧器の絶縁は、タンク１１内に充填された絶縁油１５と、巻線１２、１３間およびその内外周に配置されたバリアプレスボード１６によって行なわれている。また、このバリアプレスボード１６における巻線１２の静電シールド１４ａの端部、および巻線１３の静電シールド１４ｂの端部など必要箇所には対巻線絶縁強化用のアングルプレスボード１７が取付けられている。
【０００９】
この様な構成を有する変換器用変圧器において、直流巻線１３と交流巻線１２との間の巻線間絶縁部１８には、絶縁油１５とバリアプレスボード１６ないしアングルプレスボード１７とが直列となる様に構成して絶縁油１５の通る間隙すなわち油隙を分割したバリア絶縁構造が用いられる。
【００１０】
図６は、この様なバリア絶縁構造を有する巻線間絶縁部１８の平面図である。
図６で示す様に、交流巻線１２および直流巻線１３は同心円状に配置されている。これら交流巻線１２および直流巻線１３間には複数個のバリアプレスボード１６ａ、１６ｂがほぼ等間隔で同心円状に配置されている。そして、交流巻線１２およびバリアプレスボード１６ａ間、バリアプレスボード１６ａおよび１６ｂ相互間、さらに、バリアプレスボード１６ｂおよび直流巻線１３間には、それぞれの間隔を一定に保つために、バリアプレスボード１８と同じ材料で細長い矩形体状に製作されたダクトピースピース１９ａ、１９ｂ、１９ｃが介挿されている。
【００１１】
この様に交流巻線１２および直流巻線１３間の油隙にバリアプレスボード１６（１６ａ、１６ｂ）を挿入する理由は、バリアプレスボード１６の絶縁強度が絶縁油１５単体よりも大きいことや、絶縁油１５の破壊電界がバリアプレスボード１６で区分される絶縁油１５の体積に対して負の依存性があるため、これを細分化して絶縁油１５部分の耐圧を高めて絶縁強化を図るためである。
【００１２】
例えば、変換器用変圧器の工場試験においては、直流巻線１３に直流電圧を印加する一方で、交流巻線１２を接地する場合がある。この場合、体積抵抗率の大きいバリアプレスボード１６に大きな電界が加わり、体積抵抗率の小さい絶縁油１５にはあまり電界が加わらないことになる。バリアプレスボード１６の直流耐圧は、絶縁油１５の数倍以上大きいため、バリアプレスボード１６さえ健全であれば、直流耐圧は十分に確保できることになる。
しかしながら、前述した巻線１２、１３間に挿入したバリアプレスボード１６による直流バリア絶縁には次の様な問題がある。
【００１３】
図７は、図６の交流巻線１２および直流巻線１３間に直流電圧を印加した場合における、巻線間のダクトピース１９とバリアプレスボード１６の接触部近傍の直流電位分布を示す。
【００１４】
図７中ダクトピース１９の絶縁油１５と接する側面（説明の便宜上１９Ｔとして示す）よりも右側において絶縁油１５と接する部位のバリアプレスボード１６内部では、等電位線２０が集中し高電界であるのに対し、絶縁油１５内部では等電位線２０の間隔は粗になって低電界となっているのは、前述の通りそれぞれの材質の体積抵抗率の大小関係で決まるものである。
【００１５】
一方、同図において、ダクトピース１９の側面１９Ｔよりも左側において、ダクトピース１９とバリアプレスボード１６が接する部位では、ダクトピース１９とバリアプレスボード１６が同じ材質（体積抵抗率）であるため、両者で同じ電界となって電位分担しようとするため、この接触部の端部でバリアプレスボード１６内の等電位線２０が急激に広がって、ダクトピース１９内に侵入している。
【００１６】
このダクトピース−バリア接触部端部の等電位線２０の一部は絶縁油１５側にも侵入しており、破線円で示した部位に局所的な油中電界集中部２１を形成している。プレスボードに比べて絶縁油１５の絶縁耐圧は低い為、この電界集中部２１が直流バリア絶縁の弱点となる。この弱点部の電界を低減するには、バリアプレスボード１６を巻線間に多数配置して一つ当たりのバリアプレスボードで分担する直流電位を下げる必要がある。そうすると、絶縁寸法が大きくなり機器の小形化の妨げとなる弊害がある。
【００１７】
このため、従来、ダクトピース周辺の油中電界を低減して直流バリア絶縁の絶縁強度向上を目的として、ダクトピースの側面中央部に突出部を設け、この突出部に直流電圧の一部を分担させるようにした技術が開発されている。
【先行技術文献】
【特許文献】
【００１８】
【特許文献１】特開平８−１１１３２５号公報、
【発明の概要】
【発明が解決しようとする課題】
【００１９】
図８は図７のダクトピース１９を、特許文献１に記載されている「中央部に突出部を設けたダクトピース」２２に置換した場合の直流電位分布を示す図である。図８の記載から分るように、この特許文献１の場合も、図７同様にダクトピース２２の側面２２Ｔとバリアプレスボード１６が接する部位であるダクトピース−バリア接触部端部に局所的な油中電界集中部２１が形成されており、直流バリア絶縁の弱点が存在しており、上述の課題が解決されていないことが分かる。
【００２０】
そこで本発明は、バリアプレスボードとダクトピースの接触部近傍の絶縁油の局所的な直流電界集中を低減して耐圧を向上させることにより絶縁寸法を縮小し、小形で信頼性の高い変換器用変圧器を実現させることを目的とするものである。
【課題を解決するための手段】
【００２１】
上記の目的を達成するため、本発明の実施形態によれば、絶縁油が充填されたタンク内に、同心円状に交流巻線および直流巻線を収納し、前記交流巻線および前記直流巻線間に絶縁油と１個または複数個のバリアプレスボードからなる巻線間絶縁部を構成し、前記交流巻線およびバリアプレスボード間、前記直流巻線およびバリアプレスボード間、および隣接するバリアプレスボード間にダクトピースを配置してなる変換器用変圧器において、前記ダクトピースは、前記バリアプレスボードの内周面または外周面に接触する接触部のエッジ部を当該バリアプレスボードの周方向の両側に突出させることにより突出接触部として形成したことを特徴とする。
【図面の簡単な説明】
【００２２】
【図１】本発明の第１の実施の形態を示す図であり、（ａ）は変換器用変圧器の巻線間バリア絶縁構成の一部を示す平面図、（ｂ）は傾斜部付きダクトピースの斜視図、（ｃ）はダクトピースの傾斜部の角度の説明図。
【図２】本発明の第１の実施形態のダクトピース近傍の直流等電位線の分布図。
【図３】本発明の第２の実施の形態を示す図であり、（ａ）は変換器用変圧器の巻線間バリア絶縁構成を示す平面図、（ｂ）階段部の拡大図。
【図４】一般的な交直変換所の一例を示す配線図。
【図５】従来の変換器用変圧器内部絶縁構成の一例を示す断面図。
【図６】従来の変換器用変圧器の巻線間絶縁を示す平面図。
【図７】図６のダクトピース近傍の直流等電位線分布図。
【図８】他の従来例のダクトピースを適用し場合の直流等電位線分布図。
【発明を実施するための形態】
【００２３】
以下、図面を参照して本発明の実施形態について説明する。なお、各図を通して同一部分には同一符号を付けて重複する説明は適宜省略する。
【００２４】
［第１の実施形態］
図１および図２を参照して第１の実施形態について説明する。
【００２５】
図１は本発明の第１の実施形態を示す図であり、（ａ）は変換器用変圧器の巻線間バリア絶縁構成を示す図、（ｂ）は傾斜部付きダクトピースの斜視図、（ｃ）はダクトピースの傾斜部の角度の説明図である。
【００２６】
本実施形態が図６ないし図８で示す従来例と異なる点は、矩形状のダクトピース１９や中央部に突出部を設けたダクトピース２２に替えて、両側に突出接触部となる傾斜部を有する新たなダクトピース（以降、傾斜部付きダクトピースと称する）２３を採用するようにした点にある。
【００２７】
本実施形態による変換器用変圧器の全体構成については図示していないが、図６と同様に、絶縁油が充填されたタンク内に、直流回路に接続される直流巻線１３および交流線路に接続される交流巻線１２を同心状に収納し、さらに直流巻線１３および交流巻線１２との間に絶縁油と同心状の２個のバリアプレスボード１６ａ、１６ｂからなる巻線間絶縁部を構成している。そして、交流巻線１２および直流巻線１３間に配置した同心状の２個のバリアプレスボード１６ａ、１６ｂが所定の間隔を保持するために、傾斜部付きダクトピース２３（２３ａ，２３ｂ，２３ｃ）を配置するように構成されている。
【００２８】
なお、図１では交流巻線１２、直流巻線１３およびバリアプレスボード１６を平板上に描いているが、これらは図６のように同心円状に形成されているので、これらの間に介挿される傾斜部付きダクトピース２３の両接触面もまた、交流巻線１２、直流巻線１３およびバリアプレスボード１６等の円筒体の周面と一致する曲率を有する円弧面として形成することが好ましい。
【００２９】
ここで、傾斜部付きダクトピース２３とは、図１（ａ）の平面図あるいは図１（ｂ）の斜視図から明らかなように、交流巻線１２や直流巻線１３、バリアプレスボード１６ａ、１６ｂ等の円筒体の内周面または外周面と接触する接触面２３１の両側のエッジ部２３２をそれぞれ図示左右方向、すなわち、バリアプレスボード１６ａ、１６ｂ等の円筒体の円周方向に突出させることによって、両側面に鋭角状の突出接触部２３３を形成したダクトピースのことである。
【００３０】
換言すれば、傾斜部付きダクトピース２３とは、ダクトピース中間部分２３４の幅Ｗ２よりもバリアプレスボード１６等に接触する端部の接触面２３１の幅Ｗ１を大きくすることによって、ダクトピース側面の中間部分２３４から接触面２３１のエッジ部２３２にかけて鋭角状の突出接触部２３３が両側に形成されたダクトピースのことである。
【００３１】
なお、傾斜部付きダクトピース２３の突出接触部２３３の角度θは、図１（ｃ）で示す如く、バリアプレスボード１６ａ、１６ｂ等の円筒体に接触する接触面２３１を基準面（０°）としたとき、基準面と突出接触部２３３の傾斜面とのなす角度をいう。
【００３２】
図２は、本実施形態で採用した傾斜部付きダクトピース２３を用いて交流巻線１２および直流巻線１３間に直流電圧を印加した場合の、ダクトピース２３とバリアプレスボード１６の接触部近傍の直流電位分布を示す。なお、図２ではダクトピース２３とバリアプレスボード１６とは、同じ材質すなわち同じ体積抵抗率のものを用いた例を示す。
【００３３】
図２において、絶縁油１５と接する部位のバリアプレスボード１６内を通る等電位線２０は、傾斜部付きダクトピース２３とバリアプレスボード１６の接触部において、傾斜部付きダクトピース２３の突出接触部２３３の傾斜面に沿ってダクトピース２３内に侵入しており、周囲の絶縁油１５中に図７、図８で見られたような局所的な電界集中部２１が発生することを抑制している。
このため、このバリア絶縁の直流耐圧は従来構成に比べて高くなり絶縁信頼性向上するため、絶縁寸法を縮小することができ、機器の小型化が可能となる。
【００３４】
なお、図２では傾斜部付きダクトピース２３とバリアプレスボード１６とを同じ体積抵抗率のものを用いて解析した結果であるが、傾斜部付きダクトピース２３の体積抵抗率をバリアプレスボード１６より小さいものを使用すれば、更に傾斜部付きダクトピース２３の接触部近傍の絶縁油１５の局所的な直流電界集中が低減できる。これは、傾斜部付きダクトピース２３の体積抵抗率がバリアプレスボード１６よりも小さいと、バリアプレスボード１６からダクトピース２３に侵入する等電位線２０が更に減少するため、突出接触部２３３近傍の局所的な油中電界の集中が抑えられるからである。
【００３５】
ダクトピース２３の体積抵抗率をバリアプレスボード１６よりも小さくする方法としては、ダクトピース２３の使用される紙材の密度をバリアプレスボード１６より小さいものにすることや、綿糸など異なる材質でできた絶縁材を適用することで実現できる。
突出接触部２３３の傾斜角度θは、小さい程突出接触部２３３のバリアプレスボード側先端部の油中側電界が小さくなる。
【００３６】
なお、この傾斜角度θを小さくし過ぎると、突出接触部２３３の油中電界が増加し、ここが直流絶縁上の弱点となる。傾斜角が１０°以下になると、突出接触部２３３の油中電界が、その先端部の油中電界よりも高くなるので、傾斜角の下限値としては１０°とすればよい。また、傾斜角度が浅い（小さい）と、突出接触部２３の機械的な強度が低下してダクトピース２３の製作加工が難しくなるので、実際は加工技術の制約により傾斜角は制限を受ける。
【００３７】
以上の点を考慮すると、突出接触部２３３の傾斜角度θは、１０°から３０°が好ましいが、鋭角過ぎるとプレスボードの加工が困難になるので、４５°前後でもよい。
【００３８】
因みに、図６ないし図８で示す従来技術の場合、ダクトピース１９や２２のエッジ部とバリアプレスボード１６等円筒体とのなす角度θは９０°である。
【００３９】
また、変換用変圧器の運転中は、バリア絶縁部に直流電圧だけでなく交流電圧が同時に加わるが、ダクトピース２３では楔状の微小油隙を形成することがないので、交流電圧に対しても弱点部位がなく、絶縁信頼性の高いコンパクトな変換器用変圧器を実現することができる。
【００４０】
以上述べたように、本実施形態の変換器用変圧器は、絶縁油を充填されたタンク内に交流線路に接続される交流巻線および直流回路に接続される直流巻線を収納し、前記交流巻線および前記直流巻線間に絶縁油と１個または複数個のバリアプレスボードからなる巻線間絶縁部を構成し、交流巻線とバリアプレスボード間、バリアプレスボード相互間、直流巻線とバリアプレスボード間にそれぞれ間隔を保持する傾斜部付きダクトピース２３を配置し、この傾斜部付きダクトピース２３のバリアプレスボード１６の円周面に接触する面のエッジ部のなす角度θを鋭角すなわち９０°よりも小さくなるようにしたので、バリアプレスボード１６から傾斜部付きダクトピース２３に侵入する等電位線２０を減少させることができ、突出接触部２３３近傍の局所的な油中電界の集中を抑えることができる。
【００４１】
［第２の実施形態］
図３を参照して第２の実施形態について説明する。
図３は、本発明の第２の実施形態を示す図であり、（ａ）は変換器用変圧器の巻線間バリア絶縁構成を示す図、（ｂ）は階段状ダクトピースの拡大図である。
【００４２】
本実施形態が前述した第１の実施形態と異なる点は、傾斜部付きダクトピース２３に替えて階段状ダクトピース２４を適用したものである。
図３において、階段状ダクトピース２４（２４ａ，２４ｂ，２４ｃ）は、バリアプレスボード１６（１６ａ，１６ｂ）等の円筒体に接触する接触面２４１の幅Ｗ１が中間部分２４４の幅Ｗ２よりも広くなるように、中間部分２４４から接触面２４１に向かって段階的に幅広の状態になるように、幅の異なるプレスボードスペーサ２４３ａ、２４３ｂを配置して突出接触部を構成したものである。
【００４３】
階段状ダクトピース２４におけるプレスボード２４３ａ、２４３ｂの段部２４２ａ、２４２ｂの包絡線と、バリアプレスボード１６等の円筒体に接触する接触面２４１とのなす角度θは、第１の実施形態と同様の鋭角になっている。なお、プレスボード２４３ａおよび２４３ｂの厚みが等しい場合、エッジ部の包絡線は段部の包絡線と平行になるので、角度θをエッジ部の包絡線と接触面２４１とのなす角度と言い換えてもよい。
【００４４】
このため、本実施形態においても、バリアプレスボード１６内を通る直流等電位線２０は、この階段部で広がりながら階段状ダクトピース２４内に侵入できるようになり、段部近傍の油中に等電位線が漏れることは無く、絶縁油１５中の局所的な電界集中抑制することができる。このため、第１の実施形態の同様の作用効果が得られる。
【００４５】
また、階段状ダクトピース２４を製作する場合、従来のダクトピース１９の両端部に幅の異なる所定の厚みのプレスボードスペーサ２４３ａ、２４３ｂを貼り付けることで容易に実現でき、階段状ダクトピース２４を製作する際に要求される加工技術の制約がなく、低コストで直流絶縁性能が高いコンパクトな変換器用変圧器が実現できる。
【００４６】
以上述べたように、本実施形態の変換器用変圧器は、絶縁油を充填されたタンク内に交流線路に接続される交流巻線および直流回路に接続される直流巻線を収納し、前記交流巻線および前記直流巻線間に絶縁油１５と１個または複数個のバリアプレスボードからなる巻線間絶縁部を構成し、前記隣接するバリアプレスボード間にこの部分の間隔を保持する階段状ダクトピース２４を配置し、この階段状ダクトピース２４のバリアプレスボード１６の円周面と接触する両端部のなす角度θを、幅の異なる薄板状のプレスボードスペーサ２４３ａ、２４３ｂを複数枚重ねて階段状に変化し、小さくなるようにしたので、バリアプレスボード１６からダクトピース２４に侵入する等電位線２０を減少させることができるため、プレスボードスペーサ２４３ａ、２４３ｂの段部近傍の局所的な油中電界の集中を抑えることができる。
【００４７】
［変形例］
以上の第１および第２の実施形態では、変換器用変圧器の交流巻線１２と直流巻線１３に適用されるバリア絶縁を想定して説明したが、変換器用変圧器の油中リードや油中ブッシング等他の直流バリア絶縁部位に、ダクトピース２３や２４を適用すれば本実施形態と同様の作用効果が得られる。
【００４８】
以上、本発明のいくつかの実施形態を説明したが、これらの実施形態は例として提示したものであって発明の範囲を限定することは意図していない。これらの実施形態はその他の様々な形態で実施されることが可能であり、発明の要旨を逸脱しない範囲で種々の省略、置き換え、変更を行うことができる。これらの実施形態やその変形は、発明の範囲や要旨に含まれるとともに、特許請求の範囲に記載された発明とその均等の範囲に含まれるものである。
【符号の説明】
【００４９】
１…交流線路、２ａ、２ｂ…変換器用変圧器、３ａ、３ｂ…サイリスタバルブ群、４…直流リアクトル、５…直流線路、６ａ、６ｂ…サイリスタバルブ、７…バルブホール、８ａ、８ｂ…変圧器用避雷器、９…直流リアクトル用避雷器、１０…アノード−カソード間避雷器、１１…タンク、１２…交流巻線、１３…直流巻線、１４…静電シールド、１５…絶縁油、１６…バリアプレスボード、１７…アングルプレスボード、１８…巻線間絶縁部、１９…ダクトピース、２０…等電位線、２１…油中電界集中部、２２…ダクトピース、２３…傾斜部付きダクトピース、２３１…接触面、２３２…エッジ部、２３３…突出接触部、２３４…中間部分、２４…階段状ダクトピース、２４１…接触面、２４３ａ、２４３ｂ…プレスボードスペーサ。
【図１】
2013131691.tif 000003
【図２】
2013131691.tif 000004
【図３】
2013131691.tif 000005
【図４】
2013131691.tif 000006
【図５】
2013131691.tif 000007
【図６】
2013131691.tif 000008
【図７】
2013131691.tif 000009
【図８】
2013131691.tif 000010